(57)【要約】【課題】使用時の積算電力を報知する機能を有する炊飯器において、より実際の使用状態に近い条件での加熱手段に供給される電力の積算値の推定値を特別な操作をすることなく、調理終了前に知ることができる炊飯器を提供する。【解決手段】炊飯器本体内に米と水を入れる鍋１を着脱自在に収納し、この鍋１を加熱手段２により加熱し、炊飯開始を指示する炊飯開始手段９からの入力と複数の炊飯条件から１つの条件を選択する条件選択手段８によって選択された条件に基づいて、制御手段１１により加熱手段２を制御する。炊飯時積算電力推定手段１３により条件選択手段８によって選択された条件に応じた炊飯時の積算電力を推定し、炊飯器の状態を報知する表示手段３により、炊飯時積算電力推定手段１３からの出力を報知するよう構成する。【選択図】図１
2008173152.tif 000002
【特許請求の範囲】
【請求項１】
炊飯器本体内に着脱自在に収納され米と水を入れる鍋と、前記鍋を加熱する加熱手段と、複数の炊飯条件から１つの条件を選択する条件選択手段と、炊飯開始を指示する炊飯開始手段と、前記炊飯開始手段からの入力と前記条件選択手段によって選択された条件に基づいて前記加熱手段を制御する制御手段と、前記条件選択手段によって選択された条件に応じた炊飯時の積算電力を推定する炊飯時積算電力推定手段と、炊飯器の状態を報知する報知手段とを備え、前記報知手段により、前記炊飯時積算電力推定手段からの出力を報知するよう構成した炊飯器。
【請求項２】
条件選択手段により炊飯終了後に自動で保温を行う条件が選択されている場合に、保温時の積算電力推定手段を推定する保温時積算電力推定手段を備え、前記保温時積算電力推定手段の出力を報知するようにした請求項１記載の炊飯器。
【請求項３】
調理物の状態を検知する状態検知手段を備え、前記状態検知手段の出力に応じて、炊飯時積算電力推定手段または保温時積算電力推定手段の出力を変化するようにした請求項１または２記載の炊飯器。
【請求項４】
炊飯開始から炊飯終了までの積算電力を計算する炊飯時積算電力計算手段を備え、前記炊飯時積算電力計算手段の出力に応じて、炊飯時積算電力推定手段による出力を変化するようにした請求項１〜３のいずれか１項に記載の炊飯器。
【請求項５】
保温開始から保温終了までの積算電力を計算する保温時積算電力計算手段を備え、前記保温時積算電力計算手段の出力に応じて、保温時積算電力推定手段による出力を変化するようにした請求項２〜４のいずれか１項に記載の炊飯器。
【請求項６】
炊飯時積算電力推定手段または保温時積算電力推定手段からの出力を電気料金に換算する電気料金換算手段を備え、前記電気料金換算手段からの出力を報知するようにした請求項１〜５のいずれか１項に記載の炊飯器。
【請求項７】
電気料金換算手段の設定を変更する料金設定手段を備え、前記料金設定手段により、前記電気料金換算手段からの出力を変化するようにした請求項６記載の炊飯器。
【請求項８】
炊飯器本体外部と通信する第１の通信手段を備え、前記第１の通信手段により電気料金換算手段からの出力を変化するようにした請求項６または７記載の炊飯器。
【請求項９】
炊飯器本体外部と通信する第２の通信手段を備え、前記第２の通信手段により炊飯時積算電力計算手段または保温時積算電力計算手段の出力あるいは電気料金換算手段からの出力を炊飯器本体外部へ通信するようにした請求項１〜８のいずれか１項に記載の炊飯器。
【発明の詳細な説明】
【技術分野】
【０００１】
本発明は、使用時の積算電力を報知する機能を有する炊飯器に関するものである。
【背景技術】
【０００２】
従来、この種の炊飯器としては、使用時の積算電力を報知する加熱調理器がある（例えば、特許文献１参照）。
【特許文献１】特開２００５−１３５７４１号公報
【発明の開示】
【発明が解決しようとする課題】
【０００３】
しかしながら、前記従来の加熱調理器においては、使用時点での正確な電力は出力されるが、調理開始から終了までどれほどの電力を使用するかは、使用前に知ることはできず、また炊飯器のように自動的に保温に移行するような場合には、炊飯終了直後に使用者がいちいち操作したり、確認をしたりしなければ知ることはできなかった。
【０００４】
また、取り扱い説明書やカタログなどでおおよその使用時の積算電力を知ることはできるが、その値は特定の条件を想定した値であり、使用者の実際の使用状態に必ずしも一致するものではなかった。
【０００５】
本発明は上記従来の課題を解決するもので、より実際の使用状態に近い条件での加熱手段に供給される電力の積算値の推定値を特別な操作をすることなく、調理終了前に知ることができる炊飯器を提供することを目的としている。
【課題を解決するための手段】
【０００６】
本発明は上記目的を達成するために、炊飯器本体内に米と水を入れる鍋を着脱自在に収納し、この鍋を加熱手段により加熱し、炊飯開始を指示する炊飯開始手段からの入力と複数の炊飯条件から１つの条件を選択する条件選択手段によって選択された条件に基づいて、制御手段により加熱手段を制御し、炊飯時積算電力推定手段により条件選択手段によって選択された条件に応じた炊飯時の積算電力を推定し、炊飯器の状態を報知する報知手段により、炊飯時積算電力推定手段からの出力を報知するよう構成したものである。
【０００７】
これにより、使用者は、より実際の使用状態に近い条件での炊飯開始から炊飯終了までの電力の積算値を知ることができ、省エネルギーに役立てたり、光熱費の節約に役立てたり、状況判断をしながら炊飯条件を選択することができる。
【発明の効果】
【０００８】
本発明の炊飯器は、使用者が、実際の使用状態に応じた炊飯開始から炊飯終了までの電力の積算値を事前に知ることができ、状況判断をしながら炊飯することができる。
【発明を実施するための最良の形態】
【０００９】
第１の発明は、炊飯器本体内に着脱自在に収納され米と水を入れる鍋と、前記鍋を加熱する加熱手段と、複数の炊飯条件から１つの条件を選択する条件選択手段と、炊飯開始を指示する炊飯開始手段と、前記炊飯開始手段からの入力と前記条件選択手段によって選択された条件に基づいて前記加熱手段を制御する制御手段と、前記条件選択手段によって選択された条件に応じた炊飯時の積算電力を推定する炊飯時積算電力推定手段と、炊飯器の状態を報知する報知手段とを備え、前記報知手段により、前記炊飯時積算電力推定手段からの出力を報知するよう構成したものであり、使用者は、実際の使用状態に近い条件での炊飯開始から炊飯終了までの電力の積算値を事前に知ることができ、省エネルギーに役立てたり、光熱費の節約に役立てたり、状況判断をしながら炊飯することができる。
【００１０】
第２の発明は、上記第１の発明において、条件選択手段により炊飯終了後に自動で保温を行う条件が選択されている場合に、保温時の積算電力推定手段を推定する保温時積算電力推定手段を備え、前記保温時積算電力推定手段の出力を報知するようにしたものであり、保温時の積算電力も考慮した上で、省エネルギーに役立てたり、光熱費の節約に役立てたり、状況判断をしながら炊飯することができる。
【００１１】
第３の発明は、上記第１または第２の発明において、調理物の状態を検知する状態検知手段を備え、前記状態検知手段の出力に応じて、炊飯時積算電力推定手段または保温時積算電力推定手段の出力を変化するようにしたものであり、使用環境に応じてより正確な積算電力の推定値を得ることができる。
【００１２】
第４の発明は、上記第１〜３のいずれか１つの発明において、炊飯開始から炊飯終了までの積算電力を計算する炊飯時積算電力計算手段を備え、前記炊飯時積算電力計算手段の出力に応じて、炊飯時積算電力推定手段による出力を変化するようにしたものであり、実際の測定結果からより使用状態に応じた炊飯時の積算電力の推定値を得ることができる。
【００１３】
第５の発明は、上記第２〜４のいずれか１つの発明において、保温開始から保温終了までの積算電力を計算する保温時積算電力計算手段を備え、前記保温時積算電力計算手段の出力に応じて、保温時積算電力推定手段による出力を変化するようにしたものであり、実際の測定結果からより使用状態に応じた保温時の積算電力の推定値を得ることができる。
【００１４】
第６の発明は、上記第１〜５のいずれか１つの発明において、炊飯時積算電力推定手段または保温時積算電力推定手段からの出力を電気料金に換算する電気料金換算手段を備え、前記電気料金換算手段からの出力を報知するようにしたものであり、光熱費として使用者がより分かりやすくなる。
【００１５】
第７の発明は、上記第６の発明において、電気料金換算手段の設定を変更する料金設定手段を備え、前記料金設定手段により、前記電気料金換算手段からの出力を変化するようにしたものであり、そのときの料金表に応じたより正確な値を知ることができる。
【００１６】
第８の発明は、上記第６または第７の発明において、炊飯器本体外部と通信する第１の通信手段を備え、前記第１の通信手段により電気料金換算手段からの出力を変化するようにしたものであり、より正確なそのときの料金表に応じた正確な値を知ることができる。
【００１７】
第９の発明は、上記第１〜８のいずれか１つの発明において、炊飯器本体外部と通信する第２の通信手段を備え、前記第２の通信手段により炊飯時積算電力計算手段または保温時積算電力計算手段の出力あるいは電気料金換算手段からの出力を炊飯器本体外部へ通信するようにしたものであり、データの管理や電気料金の換算を炊飯器以外の手段ですることができる。
【００１８】
以下、本発明の実施の形態について、図面を参照しながら説明する。なお、この実施の形態によって本発明が限定されるものではない。
【００１９】
（実施の形態１）
図１は本発明の実施の形態１における炊飯器のブロック図を示すものである。
【００２０】
図１に示すように、鍋１は米、水などの調理物を入れるもので、炊飯器本体（図示せず）に着脱自在に収納し、この鍋１を加熱手段２により加熱するようにしている。表示手段（報知手段）３は、メニューを表示するメニュー表示手段４と時刻等を表示するその他表示手段５とを有し、ＬＣＤやＬＥＤで構成している。操作部７は、複数のメニュー（炊飯条件）から１つのメニュー（条件）を選択する条件選択手段８と、選択されたメニューで炊飯開始を指示する炊飯開始手段９と、炊飯や保温を終了させる取消手段１０とを有し、キースイッチで構成している。シーケンス記憶手段１２は、選択されたメニューに応じたメニュー毎のシーケンスを記憶している。炊飯時積算電力推定手段１３は、条件選択手段８によって選択されたメニューに応じたコース毎の積算電力を推定するものである。制御手段１１は、条件選択手段８によって選択されたメニューに応じたシーケンスをシーケンス記憶手段から選択し、選択されたシーケンスにより加熱手段２を制御するとともに、炊飯時積算電力推定手段１３からの出力に応じて表示手段３に表示するようにし、マイクロコンピュータおよび周辺回路で構成している。
【００２１】
上記構成において動作を説明する。使用者は鍋１に米、水などの調理物を入れ、条件選択手段８を含む操作部７を操作してメニューなどを選択する。このとき、制御手段１１は選択されたメニューをメニュー表示手段４に表示するとともに、メニューに応じた炊飯時積算電力推定手段１３の出力をその他の表示手段５に表示する。例えば、選択されたメニューが白米の場合は約３１０Ｗｈ、すしめしの場合は約２８０Ｗｈというように表示する。
【００２２】
その後、使用者は炊飯開始手段９を操作して炊飯を開始すると、制御手段１１は、条件選択手段８によって選択されたメニューに応じたシーケンスをシーケンス記憶手段１２から選択し、選択されたシーケンスにより加熱手段２を制御し、炊飯を行う。
【００２３】
以上のように本実施の形態においては、条件選択手段８によって選択されたメニューに応じた積算電力を推定する炊飯時積算電力推定手段１３に応じた表示を行うようにしていることにより、使用者は条件選択手段８によって自ら設定したメニュー（条件）に応じた炊飯時の積算電力の推定値を調理開始前あるいは調理開始時点で得ることができるため、実際の使用状態における電力の積算値の推定値を知ることができ、省エネルギーに役立てたり、光熱費の節約に役立てたり、状況判断をしながら炊飯することができる。
【００２４】
なお、本実施の形態においては、条件選択手段８によって選択されたメニューに応じた積算電力を推定する炊飯時積算電力推定手段１３に応じた表示を行うようにしているが、条件選択手段８によって設定されるものであれば、炊き上がり予定の時間といったようなものでもよく、また、調理物の量や室温など条件選択手段８で選択されない条件については、それらのうちの特定条件の時の値で表示するようにしているが、複数の条件での値や幅を持って表示するようにしてもよいし、使用者が条件を選択して表示するようにしてもよい。
【００２５】
また、本実施の形態においては、炊飯時積算電力推定手段１３に応じた表示を条件選択手段８で条件を選択してから表示をするようにしているが、条件選択手段８を操作する前でも、そのまま炊飯開始手段９を操作した場合に開始する条件に応じて表示するようにしてもよいし、炊飯開始手段９が操作されてから一定の期間のみ表示するようにしてもよいし、他の情報と交互に表示したり、前後して表示するようにしてもよいし、使用者が選択して表示するようにしてもよい。
【００２６】
また、本実施の形態では、炊飯時の積算電力を約３１０Ｗｈといった数字で報知するようにしているが、電力量の目安がわかる方法であればよく、点の数や絵で示してもよいし、音声などで報知してもよい。
【００２７】
（実施の形態２）
図２は本発明の実施の形態２における炊飯器のブロック図を示すものである。
【００２８】
図２に示すように、保温時積算電力推定手段２１は、保温時の積算電力を推定するものであり、制御手段２２は、条件選択手段８によって選択されたメニュー（条件）に応じたシーケンスをシーケンス記憶手段１２から選択し、選択されたシーケンスにより加熱手段２を制御し、炊飯時積算電力推定手段１３からの出力に応じて表示手段３に表示させるとともに、条件選択手段８によって選択されたメニューが炊飯終了後に自動で保温を行うメニューである場合に、保温時積算電力推定手段２１からの出力に応じて、表示手段３に表示するようにし、マイクロコンピュータおよび周辺回路で構成している。他の構成は上記実施の形態１と同じであり、同一符号を付して説明を省略する。
【００２９】
上記構成において動作を説明する。使用者は鍋１に米、水などの調理物を入れ、条件選択手段８を含む操作部７を操作してメニューなどを選択する。このとき、制御手段２２は選択されたメニューをメニュー表示手段４に表示するとともに、メニューに応じた炊飯時積算電力推定手段１３の出力をその他の表示手段３に３０ｗｈというように表示する。さらに、選択されたメニューが白米などのように炊飯終了後に自動的に保温に移行する場合、保温時積算電力推定手段２１の出力を表示手段３に表示し、おかゆやお手入れ機能などが選択されている場合は、保温時の積算電力の推定値を表示しない。
【００３０】
以上のように、本実施の形態においては、条件選択手段８によって選択されたメニュー（条件）に応じた積算電力を推定する炊飯時積算電力推定手段１３と保温時積算電力推定手段２１に応じた表示を行うようにしていることにより、使用者は条件選択手段８によって自ら設定した条件に応じた炊飯時および保温時の積算電力の推定値を得ることができるため、実際の使用状態における電力の積算値の推定値を知ることができ、省エネルギーに役立てたり、光熱費の節約に役立てたり、状況判断をしながら炊飯や保温をすることができる。
【００３１】
なお、本実施の形態では、保温時の積算電力を３０ｗｈといった数字で報知するようにしているが、電力量の目安がわかる方法であればよく、点の数や絵で示してもよいし、音声などで報知してもよい。また、前回と同じ条件の場合や、最初の３時間、１２時間といった時間や３ＣＵＰや２ＣＵＰといった調理物の量など特定の条件において推定される積算電力を表示してもよいし、その条件を表示するようにしてもよいし、使用者が選択できるようにしてもよい。
【００３２】
また、本実施の形態では、保温時の積算電力の推定値を炊飯開始前後に報知するようにしているが、保温開始時や保温中にそれ以降の保温時の積算電力の推定値を報知するようにしてもよい。
【００３３】
（実施の形態３）
図３は本発明の実施の形態３における炊飯器のブロック図を示すものである。
【００３４】
図３に示すように、炊飯量判定手段３１は鍋１内の調理物の量を判定するものであり、温度検知手段３２は鍋１内の温度を検知するものであり、これら炊飯量判定手段３１と温度検知手段３２とで調理物の状態を検知する状態検知手段を構成している。この状態検知手段の出力に応じて炊飯時積算電力推定手段３３の出力を変化するようにしている。すなわち、炊飯時積算電力推定手段３３は、条件選択手段８によって選択されたメニュー（条件）と炊飯量判定手段３１と温度検知手段３２の出力に応じた積算電力を推定するようにしている。制御手段３４は、条件選択手段８によって選択されたメニュー（条件）に応じたシーケンスをシーケンス記憶手段１２から選択し、選択されたシーケンスにより加熱手段２を制御し、炊飯時積算電力推定手段３３からの出力に応じて表示手段３に表示させるようにし、マイクロコンピュータおよび周辺回路で構成している。他の構成は上記実施の形態１と同じであり、同一符号を付して説明を省略する。
【００３５】
上記構成において動作を説明する。使用者は鍋１に米、水などの調理物を入れ、条件選択手段８を含む操作部７を操作してメニューなどを選択する。このとき、制御手段３４は選択されたメニューをメニュー表示手段４に表示するとともに、選択されたメニューと、炊飯量判定手段３１と温度検知手段３２の出力に応じた炊飯時積算電力推定手段３３の出力をその他の表示手段５に表示する。例えば、選択されたメニューが白米の場合で、炊飯量判定手段３１の出力が５ＣＵＰ、温度検知手段３２の出力が２０℃の場合は、約３１０Ｗｈ、１０ＣＵＰで２０℃の場合には約４４０Ｗｈ、１０ＣＵＰで５℃の場合には、約４７０Ｗｈというように表示する。
【００３６】
その後、使用者は炊飯開始手段９を操作して炊飯を開始すると、制御手段３４は、条件選択手段８によって選択されたメニューに応じたシーケンスを、シーケンス記憶手段１２から選択し、選択されたシーケンスにより加熱手段２を制御し、炊飯を行う。
【００３７】
以上のように、本実施の形態においては、調理物の状態を検知する状態検知手段を備え、状態検知手段の出力に応じて炊飯時積算電力推定手段３３の出力を変化するようにしたことにより、使用環境に応じてより正確な積算電力の推定値を得ることができる。
【００３８】
なお、本実施の形態では、調理物の状態を検知する対象として、炊飯量と鍋１内の温度としているが、室温や水温、電源電圧、浸し時間、現在時刻といったものでもよく、必ずしも全てが必要ではない。
【００３９】
また、本実施の形態においては、炊飯時の積算電力の推定値のみとしているが、保温時の積算電力の推定値も同様に状態検知手段の出力に応じて変化するようにしてもよく、対象とする状態検知手段の出力も炊飯時と同一である必要はないことは明らかである。
【００４０】
（実施の形態４）
図４は本発明の実施の形態４における炊飯器のブロック図を示すものである。
【００４１】
図４に示すように、炊飯時積算電力計算手段４１は、炊飯開始から炊飯終了までの積算電力を炊飯時間と加熱手段の動作時間から計算するようにし、この炊飯時積算電力計算手段４１の出力に応じて、炊飯時積算電力推定手段４２による出力を変化するようにしている。すなわち、炊飯時積算電力推定手段４２は、過去の炊飯時積算電力計算手段４１の出力と条件選択手段８によって選択されたメニュー（条件）と炊飯量判定手段３１と温度検知手段３２の出力に応じた積算電力を推定するようにしている。制御手段４３は、条件選択手段８によって選択された米種およびメニューに応じたシーケンスをシーケンス記憶手段１２から選択し、選択されたシーケンスにより加熱手段２を制御するとともに、炊飯時積算電力推定手段４２からの出力に応じて表示手段３に表示させるようにし、マイクロコンピュータおよび周辺回路で構成している。他の構成は上記実施の形態３と同じであり、同一符号を付して説明を省略する。
【００４２】
上記構成において動作を説明する。使用者は鍋１に米、水などの調理物を入れ、条件選択手段８を含む操作部７を操作してメニューなどを選択する。このとき、制御手段４３は選択されたメニューをメニュー表示手段４に表示するとともに、選択されたメニューと、炊飯量判定手段３１と温度検知手段３２の出力と、過去の炊飯時積算電力計算手段４１の出力に応じた炊飯時の積算電力推定手段の出力をその他の表示手段５に表示する。例えば、選択されたメニューが白米の場合で、炊飯量判定手段３１の出力が５ＣＵＰ、温度検知手段３２の出力が２０℃の場合で、前回が４４０Ｗｈ、前々回が４３５Ｗｈ、その前が４３６Ｗｈであった場合は、平均して約４３７Ｗｈというように表示する。
【００４３】
その後、使用者は炊飯開始手段９を操作して炊飯を開始すると、制御手段４３は、条件選択手段８によって選択されたメニューに応じたシーケンスをシーケンス記憶手段１２から選択し、選択されたシーケンスにより加熱手段２を制御し、炊飯を行い、炊飯時積算電力計算手段４１は、炊飯時間と、加熱手段の累計動作時間時間から炊飯時の積算電力を計算する。
【００４４】
以上のように、本実施の形態においては、炊飯開始から炊飯終了までの積算電力を計算する炊飯時積算電力計算手段４１を備え、炊飯時積算電力計算手段４１の出力に応じて、炊飯時積算電力推定手段４２による出力を変化するようにしたことにより、実際の測定結果からより正確な炊飯時の積算電力の推定値を得ることができる。
【００４５】
なお、本実施の形態では、炊飯時の積算電力推定手段４２は、条件選択手段８によって選択されたメニューと炊飯量判定手段３１と温度検知手段３２の出力と応じた積算電力を過去の炊飯時積算電力計算手段４１の出力を単純平均して推定するようにしているが、過去の条件と一致しない場合においても、条件の近いものから推定するようにしてもよいし、過去の条件との一致する度合いを表示するようにしてもよいし、使用開始初期など過去の条件が少ない場合は、あらかじめ設定しておいた値を過去の値の一つとしてもよい。また、単純平均するのではなく、推定の対象となる回数を制限するとか、重みづけをするなどして、古い計測結果より新しい計測結果を優先するようにしてもよく、また一定の範囲を超える計測結果を除外するようにしてもよい。
【００４６】
また、本実施の形態において、炊飯時積算電力計算手段４１は、炊飯時間と加熱手段２の動作時間から計算するようにしているが、電圧や室温といったものを考慮するようにしてもよいし、加熱手段２へ流れる電流を計測するようにしてもよい。
【００４７】
また、本実施の形態において、過去の炊飯時積算電力計算手段４１の出力に応じて、今回の炊飯時積算電力を推定して報知するようにしているが、炊飯中に現在の炊飯時積算電力計算手段４１の結果に応じて、適宜変更していくようにしてもよい。
【００４８】
（実施の形態５）
図５は本発明の実施の形態５における炊飯器のブロック図を示すものである。
【００４９】
図５に示すように、保温時積算電力計算手段５１は、保温開始から保温終了までの積算電力を保温時間と加熱手段の動作時間から計算するようにし、この保温時積算電力計算手段５１の出力に応じて、保温時積算電力推定手段５２による出力を変化するようにしている。すなわち、保温時積算電力推定手段５２は、過去の保温時積算電力計算手段５１の出力と条件選択手段８によって選択されたメニュー（条件）と炊飯量判定手段３１と温度検知手段３２の出力に応じた積算電力を推定するようにしている。制御手段５３は、条件選択手段８によって選択された米種およびメニューに応じたシーケンスをシーケンス記憶手段１２から選択し、選択されたシーケンスにより加熱手段２を制御するとともに、コース選択手段８によって選択されたメニューが炊飯終了後に自動で保温を行うメニューである場合に、保温時積算電力推定手段５２からの出力に応じて表示手段３に表示させるようにし、マイクロコンピュータおよび周辺回路で構成している。他の構成は上記実施の形態３と同じであり、同一符号を付して説明を省略する。
【００５０】
上記構成において動作を説明する。使用者は鍋１に米、水などの調理物を入れ、条件選択手段８を含む操作部７を操作してメニューなどを選択する。このとき、制御手段５３は選択されたメニューをメニュー表示手段４に表示するとともに、選択されたメニューと、炊飯量判定手段３１と温度検知手段３２の出力と、過去の保温時積算電力計算手段５１の出力に応じた保温時の積算電力推定手段の出力をその他の表示手段５に表示する。例えば、選択されたメニューが白米の場合で、炊飯量判定手段３１の出力が５ＣＵＰ、温度検知手段３２の出力が２０℃の場合で、単位時間あたりで前回が４０Ｗｈ、前々回が４５Ｗｈ、その前が４３Ｗｈであった場合は、平均して約４３Ｗｈというように表示する。
【００５１】
その後、使用者は炊飯開始手段９を操作して炊飯を開始すると、制御手段５３は、条件選択手段８によって選択されたメニューに応じたシーケンスをシーケンス記憶手段１２から選択し、選択されたシーケンスにより加熱手段２を制御し、炊飯および保温を行い、保温時積算電力計算手段５１は、保温時間と、加熱手段２の累計動作時間時間から保温時の積算電力を計算する。
【００５２】
以上のように、本実施の形態においては、保温開始から保温終了までの積算電力を計算する保温時積算電力計算手段５１を備え、保温時積算電力計算手段５１の出力に応じて、保温時積算電力推定手段５２による出力を変化するようにしたことにより、実際の測定結果からより正確な保温時の積算電力の推定値を得ることができる。
【００５３】
なお、本実施の形態において、保温時積算電力推定手段５２は、条件選択手段８によって選択されたメニューと炊飯量判定手段３１と温度検知手段３２の出力と応じた積算電力を過去の保温時積算電力計算手段５１の出力を単純平均して推定するようにしているが、過去の条件と一致しない場合においても、条件の近いものから推定するようにしてもよいし、過去の条件との一致する度合いを表示するようにしてもよいし、使用開始初期など過去の条件が少ない場合は、あらかじめ設定しておいた値を過去の値の一つとしてもよい。また、単純平均するのではなく、推定の対象となる回数を制限するとか、重みづけをするなどして、古い計測結果より新しい計測結果を優先するようにしてもよく、また一定の範囲を超える計測結果を除外するようにしてもよい。
【００５４】
また、本実施の形態において、保温時積算電力計算手段５１は、保温時間と加熱手段２の動作時間から計算するようにしているが、加熱手段２へ流れる電流を計測するようにしてもよいし、電圧や室温、昼間や夜間といった使用する時間帯といったものを考慮するようにしてもよい。
【００５５】
また、本実施の形態において、単位時間あたりの消費電力を表示するようにしているが、３時間１２０ｗｈというように時間と電力を同時に表示するようにしてもよいし、１時間：３０ｗｈ、２時間：６５ｗｈというように複数の時間と電力を表示するようにしてもよいし、時間を使用者が選択できるようにしてもよい。
【００５６】
また、本実施の形態において、過去の保温時積算電力計算手段５１の出力に応じて、今回の保温時積算電力を推定して報知するようにしているが、保温中に現在の保温時積算電力計算手段５１の結果に応じて、適宜変更していくようにしてもよい。
【００５７】
また、本実施の形態において、選択されたメニューが炊飯終了後に自動で保温を行わないメニューの場合に、保温時の積算電力の推定値は報知しないようにしているが、かわりに炊飯終了後に保温していなくても消費する消費電力の推定値を表示するようにしてもよい。
【００５８】
（実施の形態６）
図６は本発明の実施の形態６における炊飯器のブロック図を示すものである。
【００５９】
図６に示すように、電気料金換算手段６１は、炊飯時積算電力推定手段１３からの出力を電気料金に換算するものであり、制御手段６２は、条件選択手段８によって選択された米種およびメニューに応じたシーケンスをシーケンス記憶手段１２から選択し、選択されたシーケンスにより加熱手段２を制御するとともに、炊飯時積算電力推定手段１３の出力を電気料金換算手段６１により換算された推定電気料金を表示手段３に表示するようにし、マイクロコンピュータおよび周辺回路で構成している。他の構成は上記実施の形態１と同じであり、同一符号を付して説明を省略する。
【００６０】
上記構成において動作を説明する。使用者は鍋１に米、水などの調理物を入れ、条件選択手段８を含む操作部７を操作してメニューなどを選択する。このとき、制御手段６２は選択されたメニューをメニュー表示手段４に表示するとともに、メニューに応じた炊飯時の積算電力推定手段１３の出力を電気料金換算手段の出力が、例えば、選択されたメニューが白米の場合は約３１０Ｗｈ、すしめしの場合は約２８０Ｗｈというようになると、電気料金換算手段６１で、１ｋｗあたり２５円と換算して、白米の場合は７．８円、すしめしの場合は７．０円というように表示手段５に表示する。
【００６１】
その後、使用者は炊飯開始手段９を操作して炊飯を開始すると、制御手段６２は、条件選択手段８によって選択されたメニューに応じたシーケンスをシーケンス記憶手段１２から選択し、選択されたシーケンスにより加熱手段２を制御し、炊飯を行う。
【００６２】
以上のように、本実施の形態においては、炊飯時積算電力推定手段１３からの出力を電気料金に換算する電気料金換算手段６１を備え、電気料金換算手段６１からの出力を報知するようにしたことにより、電力量を金額換算された状態で確認できるため、より省エネの効果が実感できるようになる。
【００６３】
なお、本実施の形態では、７．０円というように具体的な金額で表示するように示したが、コインの絵の数や大きさなどでその内容を表示するようにしてもよく、電力量でなく電気料金に応じた報知を行うようにしていればよい。
【００６４】
また、本実施の形態では、電気料金換算手段６１は炊飯時積算電力推定手段１３からの出力を電気料金に換算するようにしているが、保温時積算電力推定手段からの出力を電気料金に換算するようにしてもよく、同様の作用、効果を得ることができる。
【００６５】
（実施の形態７）
図７は本発明の実施の形態７における炊飯器のブロック図を示すものである。
【００６６】
図７に示すように、電気料金換算手段７２は、炊飯時積算電力推定手段１３からの出力を電気料金に換算するものであり、料金設定手段７１は電気料金換算手段７２の設定を変更するものである。制御手段７３は、条件選択手段８によって選択された米種およびメニューに応じたシーケンスをシーケンス記憶手段１２から選択し、選択されたシーケンスにより加熱手段２を制御するとともに、炊飯時積算電力推定手段１３の出力を電気料金換算手段７１によって変更された電気料金換算手段７２で換算された推定電気料金を表示手段３に表示するようにしている。他の構成は上記実施の形態６と同じであり、同一符号を付して説明を省略する。
【００６７】
上記構成において動作を説明する。使用者は鍋１に米、水などの調理物を入れ、条件選択手段８を含む操作部７を操作してメニューなどを選択する。このとき、制御手段７３は選択されたメニューをメニュー表示手段４に表示するとともに、メニューに応じた炊飯時の積算電力推定手段１３の出力を電気料金換算手段の出力が、例えば、選択されたメニューが白米の場合は約３１０Ｗｈ、すしめしの場合は約２８０Ｗｈというようになると、電気料金換算手段７２で、料金設定手段７１によって１ｋｗあたり２５円と設定された場合、白米の場合は７．８円、すしめしの場合は７．０円というように表示手段５に表示する。また、料金設定手段７１によって１ｋＷあたり２６円と設定された場合、白米の場合は８．１円、すしめしの場合７．３円といように表示手段５に表示する。
【００６８】
その後、使用者は炊飯開始手段９を操作して炊飯を開始すると、制御手段７３は、条件選択手段８によって選択されたメニューに応じたシーケンスをシーケンス記憶手段１２から選択し、選択されたシーケンスにより加熱手段２を制御し、炊飯を行う。
【００６９】
以上のように、本実施の形態においては、電力量を電気料金に換算する電気料金換算手段７２の出力が料金設定手段７１による設定によって変更されるため、より正確に電力量を金額換算された状態で確認できるため、より省エネルギの効果が実感できるようになる。
【００７０】
なお、本実施の形態では、１ｋｗｈあたりの電気料金を設定するようにしているが、使用者の契約の形態や換算時点のトータルの使用電力量を設定するようにしてもよいし、時間帯別などより細かな設定をするようにして、より実際の使用状況に応じた電気料金に換算するようにしてもよい。
【００７１】
また、本実施の形態では、電気料金換算手段７２は炊飯時積算電力推定手段１３からの出力を電気料金に換算するようにしているが、保温時積算電力推定手段からの出力を電気料金に換算するようにしてもよく、同様の作用、効果を得ることができる。
【００７２】
（実施の形態８）
図８は本発明の実施の形態８における炊飯器のブロック図を示すものである。
【００７３】
図８に示すように、第１の通信手段８１は、炊飯器本体（図示せず）の外部と通信を行うもので、この第１の通信手段８１により、電力量を電気料金に換算する電気料金換算手段８２からの出力を変化するようにしている。制御手段８３は、条件選択手段８によって選択された米種およびメニューに応じたシーケンスをシーケンス記憶手段１２から選択し、選択されたシーケンスにより加熱手段２を制御するとともに、炊飯時積算電力推定手段１３の出力を第１の通信手段８１によって変更された電気料金換算手段８２で換算された推定電気料金を表示手段３に表示するようにしている。他の構成は上記実施の形態７と同じであり、同一符号を付して説明を省略する。
【００７４】
上記構成において動作を説明する。使用者は鍋１に米、水などの調理物を入れ、条件選択手段８を含む操作部７を操作してメニューなどを選択する。このとき、制御手段８３は選択されたメニューをメニュー表示手段４に表示するとともに、メニューに応じた炊飯時積算電力推定手段１３の出力を電気料金換算手段の出力が、例えば、選択されたメニューが白米の場合は約３１０Ｗｈ、すしめしの場合は約２８０Ｗｈというようになると、電気料金換算手段８２で、第１の通信手段８１によって１ｋｗあたり２５円と設定された場合、白米の場合は７．８円、すしめしの場合は７．０円というように表示手段５に表示する。また、第１の通信手段８２によって１ｋＷあたり２６円と設定された場合、白米の場合は８．１円、すしめしの場合７．３円といように表示手段５に表示する。
【００７５】
その後、使用者は炊飯開始手段９を操作して炊飯を開始すると、制御手段８３は、条件選択手段８によって選択されたメニューに応じたシーケンスをシーケンス記憶手段１２から選択し、選択されたシーケンスにより加熱手段２を制御し、炊飯を行う。
【００７６】
以上のように、本実施の形態においては、炊飯器本体外部と通信する第１の通信手段８１を備え、メニュー選択時に第１の通信手段８１により電気料金換算手段８２からの出力を変化するようにしたことにより、使用者が面倒な設定をすることなく、より正確な電気料金に換算した値を知ることができるため、より省エネルギの効果が実感できるようになる。
【００７７】
なお、本実施の形態では、メニュー選択時に通信することにしているが、使用者が通信開始を指示するようにしてもよいし、炊飯前などの加熱手段２の停止中や夜間などに通信するようにしてもよい。
【００７８】
また、第１の通信手段８１は有線、無線を問わないのはもちろんのこと、通信相手も、携帯端末やパソコンといったものでもよく、またインターネットや家庭内ＬＡＮ等を通じて設定されるようにしてもよい。
【００７９】
（実施の形態９）
図９は本発明の実施の形態９における炊飯器のブロック図を示すものである。
【００８０】
図９に示すように、第２の通信手段９１は、炊飯器本体（図示せず）の外部と通信するもので、この第２の通信手段９１により電気料金換算手段９３からの出力を炊飯器本体外部へ通信するようにしている。すなわち、電力量を電力料金に換算する電気料金換算手段９３は、第２の通信手段９１によって得られたデータでその出力が変更されるようにしている。制御手段９２は、条件選択手段８によって選択された米種およびメニューに応じたシーケンスをシーケンス記憶手段１２から選択し、選択されたシーケンスにより加熱手段２を制御するとともに、電気料金換算手段９３の出力を変更するのに必要な条件などのデータを第２の通信手段９１を通して外部と通信するようにしている。通信相手９４は第２の通信手段９１によって通信するもので、この場合はパソコンとなっている。他の構成は上記実施の形態１と同じであり、同一符号を付して説明を省略する。
【００８１】
上記構成において動作を説明する。使用者は鍋１に米、水などの調理物を入れ、条件選択手段８を含む操作部７を操作してメニューなどを選択する。このとき、制御手段９２は選択されたメニューをメニュー表示手段４に表示するとともに、選択されたメニュー、炊飯量、室温、前回の条件と使用電力量など炊飯時の電力推定に必要な情報を第２の通信手段９１を通して通信相手９４のパソコンへ通信する。通信相手９４のパソコンは送られた情報に基づいて電気料金換算手段９３の出力を変更するデータを作成し、そのデータを第２の通信手段９１を通して制御手段９２へ通信する。制御手段９２は第２の通信手段９２によって得られた電力料金換算手段９３の出力を変更するデータによって、電気料金換算手段９３の出力を変更するとともに、変更された出力に応じた表示を表示手段５に表示する。
【００８２】
以上のように、本実施の形態においては、積算電力値を推定するための条件と変更のためのデータを第２の通信手段９１を通して外部と通信するため、炊飯器本体外部で蓄積したデータに基づく補正や、最新の電気料金換算表などを取得することができ、より正確な判断ができるようになる。また、第２の通信手段９１による通信相手９４側はさらに外部と通信して、そのデータの精度を向上するようにしてもよい。
【００８３】
なお、本実施の形態では、メニュー選択時に積算電力値を推定するための条件を通信するようにしているが、使用者が通信開始を指示するようにしてもよいし、炊飯終了時などに分けて行ってもよいし、実際の積算電力結果をあわせて通信するようにしてもよいし、炊飯前などの加熱手段の停止中や夜間などに通信するようにしてもよい。
【００８４】
また、本実施の形態では、炊飯器本体から外部への通信、外部から炊飯器への通信の両方を第２の通信手段９１で行っているが、いずれか一方としてもよいのは明らかであるし、それぞれを別の通信手段で行ってもよいのは明らかである。
【００８５】
また、本実施の形態では、第２の通信手段９１による通信相手９４側は単独で電気料金換算手段９３の出力を変更するデータを作成しているが、必ずしも単体で行う必要はなく、インターネット等を通じてさらに外部と通信し、データ作成の基になるデータの量と精度を向上させ、作成するデータの精度を向上させるようにしてもよい。
【００８６】
また、本実施の形態では、第２の通信手段９１によって取得したデータで電気料金換算手段９３の出力を変更するようにしているが、変更後の電気料金換算手段９３の出力を第２の通信手段９１による通信相手９４側で報知するようにしてもよい。
【００８７】
また、本実施の形態では、第２の通信手段９１により電気料金換算手段９３からの出力を炊飯器本体外部へ通信するようにしているが、炊飯時積算電力計算手段または保温時積算電力計算手段の出力を通信するようにしてもよく、同様の作用、効果を得ることができる。
【産業上の利用可能性】
【００８８】
以上のように、本発明にかかる炊飯器は、使用者が実際の使用状態に応じた炊飯開始から炊飯終了までの電力の積算値を事前に知ることができ、状況判断をしながら炊飯することができるので、使用時の積算電力を報知する機能を有する炊飯器として有用である。
【図面の簡単な説明】
【００８９】
【図１】本発明の実施の形態１における炊飯器のブロック図
【図２】本発明の実施の形態２における炊飯器のブロック図
【図３】本発明の実施の形態３における炊飯器のブロック図
【図４】本発明の実施の形態４における炊飯器のブロック図
【図５】本発明の実施の形態５における炊飯器のブロック図
【図６】本発明の実施の形態６における炊飯器のブロック図
【図７】本発明の実施の形態７における炊飯器のブロック図
【図８】本発明の実施の形態８における炊飯器のブロック図
【図９】本発明の実施の形態９における炊飯器のブロック図
【符号の説明】
【００９０】
１  鍋
２  加熱手段
３  表示手段（報知手段）
８  条件選択手段
９  炊飯開始手段
１１  制御手段
１３  炊飯時積算電力推定手段
【図１】
2008173152.tif 000003
【図２】
2008173152.tif 000004
【図３】
2008173152.tif 000005
【図４】
2008173152.tif 000006
【図５】
2008173152.tif 000007
【図６】
2008173152.tif 000008
【図７】
2008173152.tif 000009
【図８】
2008173152.tif 000010
【図９】
2008173152.tif 000011